(57)【特許請求の範囲】
【請求項１】
検査領域の横軸に沿って配置されるスペクトル検出器のセット及び積分検出器のセットを有するハイブリッドデータ検出器アレイを含み、前記スペクトル検出器は、前記ハイブリッドデータ検出器アレイの中心領域に対して非対称に配置されている、イメージングシステムのハイブリッドデータ検出システムによって、放射線を受信するステップと、
前記スペクトル検出器の第１のセットを用いて、不完全なスペクトル投影のセットを発生させるステップと、
前記積分検出器のセットについて、前記スペクトル検出器のセットから補完的スペクトル投影のセットを決定するステップと、
前記補完的スペクトル投影のセットについて、実効第１エネルギービン吸収と、実効第２エネルギービン吸収とを決定するステップと、
前記補完的スペクトル投影のセットの前記実効第１エネルギービン吸収と、前記実効第２エネルギービン吸収とに基づいて、前記積分検出器のスペクトル投影のセットを推定し、推定された前記スペクトル投影のセットに前記積分検出器のセットの強度測定結果をマッチさせるように、スケール係数を推定するステップと、
前記不完全なスペクトル投影のセットと、前記推定されたスペクトル投影のセットとを組み合わせるステップと、
スペクトル投影の完全なセットを生成するように、前記組み合わせられたセットに基づいて、スペクトル投影のセットを推定するステップと、
ボリュメトリック画像データを発生させるように、前記スペクトル投影の完全なセットを処理するステップと、
を含む、スペクトル投影拡張のための方法。
【請求項２】
前記実効第１エネルギービン吸収は、実効光電子吸収であり、前記実効第２エネルギービン吸収は、実効コンプトン散乱吸収である、請求項１に記載の方法。
【請求項３】
強度測定結果をマッチさせるために、前記積分検出器のセットの前記強度測定結果に基づいて、前記補完的スペクトル投影のセットの前記実効第１エネルギービン吸収と、前記実効第２エネルギービン吸収とをスケーリングするステップと、
スケーリングされた前記実効第１エネルギービン吸収と、スケーリングされた前記実効第２エネルギービン吸収とに基づいて、前記積分検出器の前記スペクトル投影のセットを推定するステップと、
を更に含む、請求項１又は２に記載の方法。
【請求項４】
前記積分検出器のセットの前記実効第１エネルギービン吸収及び前記実効第２エネルギービン吸収を、それぞれ、スケーリングされた前記実効第１エネルギービン吸収及びスケーリングされた前記実効第２エネルギービン吸収として推定するステップを更に含む、請求項３に記載の方法。
【請求項５】
前記補完的スペクトル投影のセットの実効第１エネルギービン吸収の実効第２エネルギービン吸収に対する比率を決定するステップと、
前記比率に基づいて、前記積分検出器の前記スペクトル投影のセットを推定するステップと、
を更に含む、請求項１又は２に記載の方法。
【請求項６】
強度測定結果をマッチさせるために、前記積分検出器のセットの前記強度測定結果に基づいて、前記比率をスケーリングするステップと、
スケーリングされた前記比率に基づいて、前記積分検出器の前記スペクトル投影のセットを推定するステップと、
を更に含む、請求項５に記載の方法。
【請求項７】
前記積分検出器のセットの吸収投影のセットを発生させるステップと、
前記スペクトル検出器のセットから補完的スペクトル投影のセットを発生させるステップと、
前記吸収投影のセットの前記補完的スペクトル投影のセットに対する比率に基づいて、前記積分検出器のスペクトル投影のセットを推定するステップと、
を更に含む、請求項１に記載の方法。
【請求項８】
前記吸収投影のセットの対数の前記補完的スペクトル投影のセットの対数に対する比率に基づいて、前記積分検出器の前記スペクトル投影のセットの対数を推定するステップを更に含む、請求項７に記載の方法。
【請求項９】
前記補完的スペクトル投影のセットを決定するために、Ｃｈｏマッチングを使用するステップを更に含む、請求項１乃至８の何れか一項に記載の方法。
【請求項１０】
放射線を放出する放射線源と、
ハイブリッド検出器アレイの中心領域に対して非対称に配置され、不完全なスペクトル投影を発生させるスペクトル検出器と、積分検出器とを含む、放射線を受信する前記ハイブリッド検出器アレイと、
前記積分検出器について、前記スペクトル検出器から補完的スペクトル投影のセットを決定し、前記補完的スペクトル投影のセットについて、実効第１エネルギービン吸収と、実効第２エネルギービン吸収とを決定し、
前記補完的スペクトル投影のセットの前記実効第１エネルギービン吸収と、前記実効第２エネルギービン吸収とに基づいて、前記積分検出器のスペクトル投影のセットを推定し、推定された前記スペクトル投影のセットに前記積分検出器のセットの強度測定結果をマッチさせるように、スケール係数を推定し、
スペクトル投影の完全なセットを生成するように、前記不完全なスペクトル投影と前記推定されたスペクトル投影とを組み合わせ、
ボリュメトリック画像データを発生させるように、前記スペクトル投影の完全なセットを処理する再構成器と、
を含む、スペクトル投影拡張を有するイメージングシステム。
【請求項１１】
プロセッサは、前記スペクトル検出器から前記積分検出器の補完的スペクトル投影を発生させ、前記補完的スペクトル投影の実効第１エネルギービン吸収と実効第２エネルギービン吸収との比率を決定し、前記積分検出器の強度測定結果に基づいて、前記比率をスケーリングし、スケーリングされた前記比率に基づいて、前記積分検出器の前記スペクトル投影を推定する、請求項１０に記載のイメージングシステム。
【請求項１２】
前記実効第１エネルギービン吸収は、実効光電子吸収であり、前記実効第２エネルギービン吸収は、実効コンプトン散乱吸収である、請求項１１に記載のイメージングシステム。
【請求項１３】
プロセッサは、前記積分検出器のセットの吸収投影を発生させ、前記吸収投影のセットの前記補完的スペクトル投影のセットに対する比率に基づいて、前記積分検出器のスペクトル投影のセットを推定するか、又は前記吸収投影のセットの対数の前記補完的スペクトル投影のセットの対数に対する比率に基づいて、前記積分検出器の前記スペクトル投影のセットの対数を推定する、請求項１０に記載のイメージングシステム。
【請求項１４】
命令を格納するメモリと、
前記命令を実行するプロセッサと、
を含み、
前記プロセッサは、前記命令の実行に反応して、請求項１に記載の方法を実施する、装置。
【発明の詳細な説明】
【技術分野】
【０００１】
以下は、概して、スペクトル投影データを処理することに関し、より具体的には、スペクトル検出器及び非スペクトル検出器の両方を含む検出システムの不完全な（truncated）スペクトル投影のセットを拡張することに関連し、コンピュータ断層撮影（ＣＴ）への特定の応用を用いて説明される。しかし、以下は、フラットパネル、ｘ線、放射線治療及び／又は他のイメージング応用にも適している。
【背景技術】
【０００２】
スペクトル検出器は、エネルギー積分検出器に比べて、価格が比較的高い。費用を減らすために、検出システムは、すべてがスペクトル検出器である代わりに、スペクトル検出器とエネルギー積分検出器との両方を有するハイブリッド検出器アレイを含む。１つの手法では、検出器アレイでは、スペクトル検出器が非対称に存在する。例えば第１のセットの検出器は、スペクトル検出器で、残りの検出器は、エネルギー積分検出器である。スペクトル検出器が、フル視野全体ではなく小さい視野をカバーする本例では、フル視野収集によって、不完全なスペクトル投影のセットがもたらされる。
【０００３】
非対称プロファイルの不完非スペクトル投影を拡張する手法は、Cho他によるPhys. Med. Biol.４０、１９９５、１８６３−１８８３頁に説明されている。この手法では、非対称プロファイルは、反対のガントリ角において測定される補完的（又は近似冗長的な）線積分で拡張される。適切なイメージング品質が、軸方向スキャニングモードにおいて、小さい円錐角について達成される。より大きい円錐角（例えば１．５度より大きい）又はより高いピッチ（例えば０．８より大きい）では、非対称に不完全な収集の３Ｄ画質は、徐々に劣化する。前者は、Schafer他による「FBP and BPF reconstruction methods for circular X-ray tomography with off-center detector」（Med. Phys. 第３８巻（７）、Ｓ８５−Ｓ９４、２０１１）に説明され、後者は、Zamyatin他による「Helical cone beam CT with an asymmetrical detector」（Med. Phys.３２、３１１７−３１２７  ２００５）に説明されている。
【発明の概要】
【発明が解決しようとする課題】
【０００４】
スペクトルの場合、残念なことに、この問題は、各スペクトルチャネルについて生じる。
【課題を解決するための手段】
【０００５】
方法は、イメージングシステムのハイブリッドデータ検出システムを用いて、放射線を受信するステップを含む。ハイブリッドデータ検出システムは、検査領域の横軸に沿って配置されるスペクトル検出器のセット及び積分検出器のセットを有するハイブリッドデータ検出器アレイを含む。当該方法は更に、スペクトル検出器の第１のセットを用いて、不完全なスペクトル投影のセットを発生させるステップを含む。当該方法は更に、積分検出器のスペクトル投影のセットを推定するステップを含む。当該方法は更に、不完全なスペクトル投影のセットと、推定されたスペクトル投影のセットとを組み合わせるステップを含む。当該方法は更に、スペクトル投影の完全なセットを生成するように、組み合わせられたセットに基づいて、スペクトル投影のセットを推定するステップを含む。当該方法は更に、ボリュメトリック画像データを発生させるように、スペクトル投影の完全なセットを処理するステップを含む。
【０００６】
イメージングシステムは、放射線を放出する放射線源と、放射線を受信するハイブリッド検出器アレイとを含む。ハイブリッド検出器アレイは、スペクトル検出器と、積分検出器とを含む。スペクトル検出器は、ハイブリッド検出器アレイの中心領域に対して非対称に配置される。スペクトル検出器は、不完全なスペクトル投影を発生させる。当該イメージングシステムは更に、積分検出器のスペクトル投影を推定し、スペクトル投影の完全なセットを生成するように、不完全なスペクトル投影と推定されたスペクトル投影とを組み合わせ、ボリュメトリック画像データを発生させるように、スペクトル投影の完全なセットを処理する再構成器を含む。
【０００７】
装置は、命令を格納するメモリと、命令を実行するプロセッサとを含む。当該プロセッサは、命令の実行に反応して、スペクトル検出器及び積分検出器を含む検出器アレイから、不完全なスペクトル投影及び積分投影を受信し、積分検出器に対するスペクトル検出器の補完的スペクトル投影に基づいて、積分検出器のスペクトル投影を推定し、スペクトル投影の完全なセットを生成するために、不完全なスペクトル投影及び推定されたスペクトル投影を組み合わせる。
【図面の簡単な説明】
【０００８】
本発明は、様々なコンポーネント及びコンポーネントの配置、並びに、様々なステップ及びステップの配置の形を取る。図面は、好適な実施形態を例示するためだけのものであり、本発明を限定すると解釈されるべきではない。
【０００９】
【図１】図１は、スペクトル投影エクステンダを含む再構成器を有する例示的なイメージングシステムを示す。
【図２】図２は、スペクトル検出器及びエネルギー積分検出器の両方を有する例示的なハイブリッド検出器アレイを示す。
【図３】図３は、スペクトル検出器及びエネルギー積分検出器の両方を有する別の例示的なハイブリッド検出器アレイを示す。
【図４】図４は、スペクトル投影エクステンダの一例を示す。
【図５】図５は、図２のハイブリッド検出器アレイの一例の欠測投影の一例を示す。
【図６】図６は、図２のハイブリッド検出器アレイの一例の補完的投影の一例を示す。
【図７】図７は、本明細書に説明される一実施形態による方法を示す。
【発明を実施するための形態】
【００１０】
図１は、コンピュータ断層撮影（ＣＴ）スキャナといった例示的なイメージングシステム１００を概略的に示す。
【００１１】
イメージングシステム１００は、回転式ガントリ１０２と、固定式ガントリ１０４とを含む。回転式ガントリ１０２は、固定式ガントリ１０４によって回転可能に支持される。回転式ガントリ１０２は、長手軸、即ち、ｚ軸に対して、検査領域１０６の周りを回転する。イメージングシステム１００は更に、回転式ガントリ１０２によって回転可能に支持される、例えばＸ線管といった放射線源１０８を含む。放射線源１０８は、検査領域１０６の周りを、回転式ガントリ１０２と共に回転し、検査領域１０６を横断する放射線を放出する。
【００１２】
イメージングシステム１００は更に、ハイブリッド検出システム１１０を含む。ハイブリッド検出システム１１０は、放射線源１０８の反対側で、検査領域１０６の向こう側に配置される。ハイブリッド検出システム１１０は、ｚ軸方向に沿って配置された一列又は複数列の検出器を有する１又は２次元アレイ１１２を含む。１又は２次元アレイ１１２は、検査領域１０６の横（ｘ／ｙ）軸に沿って配置されるスペクトル（マルチエネルギー）検出器とエネルギー積分（非スペクトル）検出器との組み合わせを含む。
【００１３】
図２及び図３は、アレイ１１２の非限定的な例を示す。図２では、検出器アレイ位置１から検出器アレイ位置αＸまでの第１の検出器サブ領域２０２に、スペクトル検出器２０４があり、検出器アレイ位置αＸ＋１から検出器アレイ位置Ｘまでの第２のサブ領域２０６に、エネルギー積分検出器２０８がある。ここで、Ｘは、１つの列における検出器素子の数を示し、２よりも大きい正の整数であり、また、αは、１００％よりも少ない百分率である。この構成では、スペクトル検出器２０４は、検出器アレイ１１２の中心領域２１４について非対称に配置されている。
【００１４】
図２では、第１のサブ領域２０２は、小視野（ＳＦＯＶ）２１０をカバーする。小視野２１０は、例えば頭部スキャン、心臓スキャン等のフルカバレッジを提供する。第１のサブ領域２０２と第２のサブ領域２０６との組み合わせが、大視野（ＬＦＯＶ）２１２のカバレッジを提供する。大視野２１２は、例えば肩、腹部等のフルカバレッジを提供する。図３では、第１及び第２の検出器サブ領域２０２及び２０６は反対にされ、したがって、エネルギー積分検出器２０８は、位置１から位置αＸに及び、スペクトル検出器２０４は、位置αＸ＋１から位置Ｘに及ぶ。
【００１５】
図１、図２及び図３を参照するに、ハイブリッド検出システム１１０は、スペクトルモード及びエネルギー積分モードで動作する。エネルギー積分モードでは、ＳＦＯＶ２１０及びＬＦＯＶ２１２について、少なくとも１８０度（１８０°）＋ファン角の後に、吸収投影の完全なセットが収集される。スペクトルモードでは、ＳＦＯＶ２１０について、少なくとも１８０度（１８０°）＋ファン角の後に、スペクトル投影の完全なセットが収集されるが、ＬＦＯＶ２１２については収集されない。ＬＦＯＶ２１２については、第２のサブ領域２０６によってカバーされる領域について、スペクトル投影が欠測しているため、スペクトル投影は不完全である。
【００１６】
図１を参照するに、イメージングシステム１００は更に、投影を再構成し、ボリュメトリックデータを生成する再構成器１１４を含む。スペクトルＬＦＯＶ収集のために、再構成器１１４は、第２のサブ領域２０６のスペクトル投影を推定するスペクトル投影エクステンダ１１６を含む。第１のサブ領域２０２の不完全なスペクトル投影と、第２のサブ領域２０６の推定スペクトル投影との組み合わせが、スペクトルＬＦＯＶ収集のスペクトル投影の完全なセットを提供する。したがって、推定スペクトル投影は、ＬＦＯＶ収集の投影の完全なセットを生成するように、不完全なスペクトル投影を拡張する。
【００１７】
以下により詳細に説明されるように、１つの非限定的な事例において、スペクトル投影エクステンダ１１６は、第１のサブ領域２０２からの補完的スペクトル投影と第２のサブ領域２０６からのエネルギー積分測定結果とに基づいて、第２のサブ領域２０６のスペクトル投影を推定する。この手法は、当該手法が省略されている構成とは異なり、軸方向スキャニングにおけるより大きい円錐角（例えば１．５度より大きい）及び／又はヘリカルスキャニングのより高いピッチ（例えば０．８より大きい）を含む非対称スペクトル検出器プロファイルに適している。スペクトル投影エクステンダ１１６は、エネルギー積分モード及びＳＦＯＶスペクトルモードには使用されない。
【００１８】
再構成器１１４は、一時的媒体は含まず、物理的メモリ及び／又は他の非一時的媒体を含むコンピュータ可読記憶媒体に埋め込まれるか又はコード化されるコンピュータ実行可能命令を実行するプロセッサ（例えば中央処理演算ユニット（ＣＰＵ）、マイクロプロセッサ等）を介して実現可能である。再構成器１１４は更に、搬送波、信号等といった一時的媒体によって運ばれるコンピュータ実行可能命令を実行することも可能である。再構成器１１４は、（図示されるように）イメージングシステム１００の一部であっても、それとは別箇であってもよい。
【００１９】
イメージングシステム１００は更に、例えばスキャニングの前、スキャニングの間及び／又はスキャニングの後に、検査領域１０６内で被験者を支持するカウチといった被検者支持体１１８を含む。
【００２０】
イメージングシステム１００は更に、オペレータコンソール１２０として機能し、モニタといった人間が読み取り可能な出力デバイスと、キーボード、マウス等といった入力デバイスとを含むコンピュータシステムを含む。コンソール１２０は、オペレータが、グラフィカルユーザインターフェース（ＧＵＩ）及び／又は別の手段を介して、スキャナ１００とインタラクトすることを可能にする。例えばユーザは、入力デバイスを使用して、ＬＦＯＶ及びスペクトルモードを含むイメージングプロトコルといったイメージングプロトコルを選択することができる。
【００２１】
例示的な一般事例において、検出器素子のスペクトル測定は、Ｎ個の異なる測定を含み、それぞれ、異なるエネルギービンに対するものであり、また、異なるスペクトル感度を用いる。これは、式１
【数１】
0006479967.tif 000002
に示されるように、表すことができる。ここで、Ｉｉは、ｉ番目の強度測定を表し、Ｓｉ（Ｅ）は、測定の実効スペクトル感度を表し、ψ（Ｅ）は、放射線源エネルギー発光スペクトルであり、μ（Ｅ）は、吸収のエネルギー依存性を表す。
【００２２】
サブ領域２０２における検出器２０４の測定されたスペクトル減衰は、式２
【数２】
0006479967.tif 000003
に示されるように表すことができる。また、対応するエネルギー積分測定結果は、式３
【数３】
0006479967.tif 000004
に示されるように表すことができる。この場合、各スペクトルチャネルの割合は、式４
【数４】
0006479967.tif 000005
に示されるように計算することができる。サブ領域２０６における各エネルギー積分測定結果Ｉ２０８について、スペクトル情報
【数５】
0006479967.tif 000006
は、式５
【数６】
0006479967.tif 000007
に示されるように、サブ領域２０２からの対応する光線のスペクトルの割合
【数７】
0006479967.tif 000008
を使用して推定することができる。
【００２３】
図４は、再構成器１１４及びスペクトル投影エクステンダ１１６の一例を示す。本例では、Ｎ＝２であり、２つのスペクトルビンは、光電子及びコンプトン散乱ベースにマッピングされる。別の実施形態では、Ｎ＞２であり、また、スペクトルビンは、光電子、コンプトン散乱及び／又は他のベースを含むことができる。
【００２４】
スペクトル検出器２０４によって行われるスペクトル測定について、再構成器１１４は、式６
【数８】
0006479967.tif 000009
及び式７
【数９】
0006479967.tif 000010
にそれぞれ基づいて光線における光電子効果による実効吸収Ｐと、コンプトン散乱による実効吸収Ｃとを決定する。ここで、ＩＬ及びＩＨは、低及び高輝度測定結果であり、μＰ（Ｅ）及びμＣ（Ｅ）は、吸収のエネルギー依存性であり、ＳＬ（Ｅ）及びＳＨ（Ｅ）は、実効スペクトル感度である。
【００２５】
再構成器１１４は、式８
【数１０】
0006479967.tif 000011
にそれぞれ基づいて、スペクトル検出器２０４の第１のサブ領域２０２の非スペクトル測定結果（エネルギー積分測定と等しい）を決定する。ここで、Ｉは、組み合わされた（積分と同義）測定結果であり、Ｓ（Ｅ）＝ＳＨ（Ｅ）＋ＳＬ（Ｅ）である。第２のサブ領域２０６について、再構成器１１４は、スペクトル投影を推定するために、スペクトル投影エクステンダ１１６を使用する。この一例を次に示す。
【００２６】
スペクトル投影エクステンダ１１６は、第２のサブ領域２０６の積分光線に補完的である第１のサブ領域２０２からのスペクトル光線を特定する補完的光線特定器４０２を含む。検討下の２つの光線を明瞭に区別するために、式８に従って測定された積分光線は、ここでは、直接光線と呼ぶ。図５を軽く参照するに、第１のサブ領域２０６の例示的な欠測スペクトル測定５０２が示される。図６は、第２のサブ領域２０１からの補完的なスペクトル測定６０２を示す。
【００２７】
スペクトル投影エクステンダ１１６は更に、補完的光線について、光電子効果及びコンプトン散乱による実効吸収Ｐｃｒ及びＣｃｒを決定する補完的光線実効吸収決定器４０４を含む。一事例では、補完的光線実効吸収決定器４０４は、Ｃｈｏマッチングを使用する。Ｃｈｏマッチングの一例は、Cho他によるPhys. Med. Biol.４０、１９９５、１８６３−１８８３頁に説明されている。
【００２８】
Ｃｈｏマッチングアルゴリズムは、検出器システムのデザインによって、デュアルレイヤピクセルによって測定された光線であるベストマッチする補完的光線の幾何学的位置を特定する。したがって、補完的光線について、線積分Ｐｃｒ及びＣｃｒは、分解を介して直接的に入手可能であるか、又は、幾何学的情報は、正しいＩＨ及びＩＬをもたらし、分解が、これらのデータに対して行われる。
【００２９】
スペクトル投影エクステンダ１１６は更に、第２のサブ領域２０６について、式９
【数１１】
0006479967.tif 000012
に基づいて、光電子効果による実効吸収ｘＰｃｒと、コンプトン散乱による実効吸収ｘＣｃｒとを推定するスペクトル実効吸収推定器４０６を含む。ここで、Ｉは、積分測定結果であり、ｘは、スケール係数であり、Ｐｃｒは、補完的光線の実効光電子吸収であり、Ｃｃｒは、補完的光線の実効コンプトン散乱吸収である。
【００３０】
スペクトル実効吸収推定器４０６は、式９を使用して、全吸収を（ｘを推定するために、１つの測定結果Ｉ及び１つのパラメータしかないため、今度は、明確な問題である）積分測定結果Ｉにマッチさせる値であるように、スケール係数ｘを決定する。スペクトル実効吸収推定器４０６は、直接光線の推定実効光電子吸収及び推定実効コンプトン散乱吸収として、ｘＰｃｒ及びｘＣｃｒを出力する。
【００３１】
再構成器１１４は、推定実効吸収ｘＰｃｒ及びｘＣｃｒを、ＬＦＯＶ２１２の実効吸収Ｐ及びＣとして使用して、ＬＦＯＶ２１２のスペクトルデータの完全セットを生成する。再構成器１１４は、Ｐ及びＣを処理して、より大きい視野２１２のスペクトル画像データを生成する。
【００３２】
変形例では、再構成器１１４は、Ｐｃｒ及びＣｃｒの両方ではなく、ＰｃｒのＣｃｒに対する（又はその反対の）比率のみを決定し、その比率を使用して、欠測スペクトルデータを推定する。
【００３３】
別の変形例では、再構成器１１４は、式１０
【数１２】
0006479967.tif 000013
及び式１１
【数１３】
0006479967.tif 000014
に示されるように、強度比に基づいて、スペクトル強度を推定する。ここで、
【数１４】
0006479967.tif 000015
及び
【数１５】
0006479967.tif 000016
は、より低い及びより高い補完的光線強度測定結果である。式１０及び式１１は、２ビンを使用する例について、式４及び５と同様である。
【００３４】
別の変形例では、再構成器１１４は、式１２
【数１６】
0006479967.tif 000017
及び式１３
【数１７】
0006479967.tif 000018
に示されるように、強度比に基づいて、スペクトル強度の対数を推定する。
【００３５】
図７は、本明細書に説明される実施形態による方法を示す。本例では、Ｎ＝２であり、２つのスペクトルビンは、光電子及びコンプトン散乱ベースにマッピングされている。別の実施形態では、Ｎ＞２であり、スペクトルビンは、光電子、コンプトン散乱及び／又は他のベースを含んでよい。
【００３６】
当然ながら、下記のステップの順序は、例示を目的とし、限定ではない。したがって、本明細書では他の順序も考えられる。更に、ステップのうちの１つ以上が、省略されても、及び／又は、１つ以上の他のステップが含められてもよい。
【００３７】
７０２において、イメージングシステムの放射線源によって放出される放射線が、検出器アレイに沿って非対称に配置されるスペクトル検出器のセットと、積分検出器のセットとを含むハイブリッド検出器アレイによって検出される。
【００３８】
７０４において、積分検出器のセットに対して、スペクトル検出器のセットの補完的スペクトル投影のセットが特定される。
【００３９】
７０６において、補完的スペクトル投影のセットに対して、実効光電子吸収及び実効コンプトン散乱吸収が決定される。
【００４０】
７０８において、補完的スペクトル投影のセットの実効光電子吸収及び実効コンプトン散乱吸収が、積分検出器のセットの強度測定結果に基づいてスケーリングされる。
【００４１】
７１０において、積分検出器のセットの実効光電子吸収及び実効コンプトン散乱吸収が、スケーリングされた実効光電子吸収及び実効コンプトン散乱吸収に基づいて推定される。
【００４２】
７１２において、スペクトル検出器のセットの実効光電子吸収及び実効コンプトン散乱吸収が決定される。
【００４３】
７１４において、積分検出器のセットの推定された実効光電子吸収及び実効コンプトン散乱吸収と、スペクトル検出器のセットの実効光電子吸収及び実効コンプトン散乱吸収とが処理されて、ボリュメトリック画像データが生成される。
【００４４】
上記は、コンピュータプロセッサによって実行されると、当該プロセッサに上記ステップを実行させる、コンピュータ可読記憶媒体上にエンコードされる又は埋め込まれるコンピュータ可読命令によって実施される。更に又は或いは、コンピュータ可読命令の少なくとも１つは、信号、搬送波又は他の一時的媒体によって運ばれてもよい。
【００４５】
本発明は、好適な実施形態を参照して説明された。上記詳細な説明を読み、理解した者は、修正態様及び変更態様を思いつくであろう。本発明は、すべてのそのような修正態様及び変更態様を、添付の請求項又はその等価物の範囲内にある限り、含むと解釈されることを意図している。
【図１】
0006479967.tif 000019
【図２】
0006479967.tif 000020
【図３】
0006479967.tif 000021
【図４】
0006479967.tif 000022
【図５】
0006479967.tif 000023
【図６】
0006479967.tif 000024
【図７】
0006479967.tif 000025